(57)【要約】【課題】  本発明では、開封後の持ち運びが便利になる包装体を提供することを目的とする。【解決手段】  包装体１は、複数のティッシュペーパ容器Ｔを所定の個数ずつ包装する複数の小袋１１，１２と、小袋１１，１２の少なくとも上部に接合される取っ手１１ｂ，１２ｂと、を備えている。そして、前記複数の小袋１１，１２同士は、取っ手１２ｂの両端部１２ｃが下方にある下側小袋１１または小袋１２に接合されることで連結されている。【選択図】      図１
2005247377.tif 000002
【特許請求の範囲】
【請求項１】
複数のティッシュペーパ容器を上下に積み重ねた状態で包装するための包装体であって、
前記ティッシュペーパ容器を所定の個数ずつ包装する複数の小袋と、
前記各小袋の少なくとも上部に設けられる取っ手と、を備え、
前記複数の小袋同士が連結されていることを特徴とする包装体。
【請求項２】
請求項１に記載の包装体であって、
前記複数のティッシュペーパ容器のうち最下方にある二個のティッシュペーパ容器が一つの小袋でまとめて包装されるとともに、残りの各ティッシュペーパ容器が一つずつ小袋で包装され、
前記各小袋に設けられる取っ手の端部は、下方にある小袋の取っ手または小袋自体に接合されることで、前記小袋同士が連結されることを特徴とする包装体。
【請求項３】
請求項２に記載の包装体であって、
前記最下方の小袋より上方に配設される各小袋の取っ手には、小袋同士の切り離しを補助するための脆弱部が形成されていることを特徴とする包装体。
【請求項４】
請求項２に記載の包装体であって、
前記小袋は、筒状に形成されるとともに、前記ティッシュペーパ容器の四面を包み込むことを特徴とする包装体。
【請求項５】
請求項１に記載の包装体であって、
前記複数のティッシュペーパ容器のうち最下方にある二個のティシュペーパ容器が筒状に形成された一つの小袋でまとめて包装され、
前記複数個のティッシュペーパ容器のうち下から二段目より上にあるティッシュペーパ容器と、それより下にある小袋とが、筒状に形成された小袋でまとめて包装されることで、複数の小袋が連結されたことを特徴とする包装体。
【請求項６】
請求項５に記載の包装体であって、
前記各小袋が重なり合う部分に、前記各小袋を切断するための刃部または脆弱部が設けられることを特徴とする包装体。
【発明の詳細な説明】
【技術分野】
【０００１】
本発明は、ティッシュペーパ容器等の物体を上下に複数積み重ねた状態で包装するための包装体に関するものである。
【背景技術】
【０００２】
一般に、ティッシュペーパ容器は、上下に複数積み重ねられた状態で一つの合成樹脂フィルム等の包装体によりまとめて梱包され、この包装体の上部に取っ手が付けられた状態で出荷される。このような包装体に関する技術としては、従来、ティッシュペーパ容器を五個一組として一つの包装体で梱包した積層体を二つ並べ、これらの積層体の底部同士を接着テープで止めるとともに、二つの積層体の上部に跨るように取っ手を付けた技術が開示されている（特許文献１参照）。そして、このような技術においては、二組のティッシュペーパを買った場合であっても、持ち運びが便利になるという利点を有している。
【０００３】
【特許文献１】実開平６−７８２０８号広報（段落０００７〜００１０、図１）
【発明の開示】
【発明が解決しようとする課題】
【０００４】
しかしながら、従来の技術では、購入後の店から自宅への持ち運びは便利であるが、自宅で開封した後の持ち運びが不便になるといった問題があった。具体的には、上にあるティッシュペーパ容器を取り出す際に、包装体を破くと、包装体の上部に付けられる取っ手も一緒に取り外されるため、その後残りの包装体に包まれた複数のティッシュペーパ容器（積層体）を持ち運ぶには、両手で積層体の下部を持って運ばなければならず、掃除の際に移動する場合などは不便であった。
【０００５】
そこで、本発明では、開封後の持ち運びが便利になる包装体を提供することを目的とする。
【課題を解決するための手段】
【０００６】
前記課題を解決する本発明のうち請求項１に記載の発明は、複数のティッシュペーパ容器を上下に積み重ねた状態で包装するための包装体であって、前記ティッシュペーパ容器を所定の個数ずつ包装する複数の小袋と、前記各小袋の少なくとも上部に設けられる取っ手と、を備え、前記複数の小袋同士が連結されていることを特徴とする。
【０００７】
請求項１に記載の発明によれば、複数のティッシュペーパ容器が所定の個数ずつ小袋で包装されるとともに、各小袋に取っ手が接合されているので、例えば上方の小袋を破いてティッシュペーパ容器を取り出した後においても、その上方の小袋を下側の小袋の集合体から取り外すことにより前記集合体のうち最も上に位置する小袋に接合された取っ手を利用して前記集合体を持ち運ぶことができる。
【０００８】
請求項２に記載の発明は、前記複数のティッシュペーパ容器のうち最下方にある二個のティッシュペーパ容器が一つの小袋でまとめて包装されるとともに、残りの各ティッシュペーパ容器が一つずつ小袋で包装され、前記各小袋に接合される取っ手の端部は、下方にある小袋の取っ手または小袋自体に接合されることで、前記小袋同士が連結されることを特徴とする。
【０００９】
請求項２に記載の発明によれば、例えば購入後の状態（複数個一組となった状態）から上方に位置する小袋を破いてその中からティッシュペーパ容器を取り出した後においても、その上方の小袋の取っ手を下側の小袋の集合体から取り外すことにより前記集合体のうち最も上に位置する小袋に接合された取っ手を利用して残りのティッシュペーパ容器を持ち運ぶことができる。
【００１０】
請求項３に記載の発明は、請求項２に記載の包装体であって、前記最下方の小袋より上方に配設される各小袋の取っ手には、小袋同士の切り離しを補助するための脆弱部が形成されていることを特徴とする。
【００１１】
請求項３に記載の発明によれば、各小袋に接合される取っ手に脆弱部が形成されているので、上方の小袋の取っ手を下側の小袋から小さな力で取り外すことが可能となる。
【００１２】
請求項４に記載の発明は、請求項２に記載の包装体であって、前記小袋は、筒状に形成されるとともに、前記ティッシュペーパ容器の四面を包み込むことを特徴とする。
【００１３】
請求項４に記載の発明によれば、ティッシュペーパ容器を包装体から取り出す際は、筒状となった小袋の開口部から手を入れてティッシュペーパ容器を押し出せばよいので、簡単にティッシュペーパ容器を取り出すことができる。
【００１４】
請求項５に記載の発明は、請求項１に記載の包装体であって、前記複数のティッシュペーパ容器のうち最下方にある二個のティシュペーパ容器が筒状に形成された一つの小袋でまとめて包装され、前記複数個のティッシュペーパ容器のうち下から二段目より上にあるティッシュペーパ容器と、それより下にある小袋とが、筒状に形成された小袋でまとめて包装されることで、複数の小袋が連結されたことを特徴とする。
【００１５】
請求項５に記載の発明によれば、例えば購入後の状態（複数個一組となった状態）から最も外側の小袋の開口部に手を入れて上方に位置するティッシュペーパ容器を押し出して取り出すと、その小袋が緩むこととなる。そして、この緩んだ小袋を、破りとることで、一つ内側の小袋にある取っ手を残りのティッシュペーパ容器の持ち運びに利用することができる。
【００１６】
請求項６に記載の発明は、請求項５に記載の包装体であって、前記各小袋が重なり合う部分に、前記各小袋を切断するための刃部または脆弱部が設けられることを特徴とする。
【００１７】
請求項６に記載の発明によれば、小袋を破り取るときに、刃部または脆弱部を利用することで、容易に小袋を切り開くことができる。
【発明の効果】
【００１８】
請求項１に記載の発明によれば、各小袋に取っ手が接合されることによって、例えば最も上の小袋を破いてティッシュペーパ容器を取り出した後においても、その小袋を下側の小袋の集合体から取り外すことにより前記集合体のうち最も上に位置する小袋に設けられた取っ手が出てくるので、開封後の持ち運びが便利になる。
【００１９】
請求項２に記載の発明によれば、例えば購入後の状態から上方に位置する小袋を破いてその中からティッシュペーパ容器を取り出した後においても、その上方の小袋の取っ手を下側の小袋の集合体から取り外すことにより前記集合体のうち最も上に位置する小袋に接合された取っ手を利用して残りのティッシュペーパ容器を持ち運ぶことができる。
【００２０】
請求項３に記載の発明によれば、各小袋に接合される取っ手に脆弱部が形成されているので、上方の小袋の取っ手を下側の小袋から小さな力で取り外すことが可能となる。
【００２１】
請求項４に記載の発明によれば、筒状となった小袋の開口部から手を入れてティッシュペーパ容器を押し出すだけで、簡単にティッシュペーパ容器を取り出すことができる。
【００２２】
請求項５に記載の発明によれば、例えば購入後の状態から小袋の開口部に手を入れて上方に位置するティッシュペーパ容器を押し出して取り出した後、緩んだ小袋を、破り取ることで、内側の小袋にある取っ手を残りのティッシュペーパ容器の持ち運びに利用することができる。
【００２３】
請求項６に記載の発明によれば、小袋を破り取るときに、刃部または脆弱部を利用することで、容易に小袋を切り開くことができる。
【発明を実施するための最良の形態】
【００２４】
〔第１の実施形態〕
次に、本発明の実施形態について、適宜図面を参照しながら詳細に説明する。
図１に示すように、包装体１は、上下に積み重ねられる複数個、例えば五個のティッシュペーパ容器Ｔのうち最下方にある二個のティッシュペーパ容器Ｔをまとめて包装するための下側小袋１１と、残りの各ティッシュペーパ容器Ｔを一つずつ包装するための三つの小袋１２とを主に備えている。なお、本実施形態に係る各小袋１１，１２は、ティッシュペーパ容器Ｔの全面を覆うように形成されている。また、小袋１１，１２の材質は、通常、ポリエチレン、ポリプロピレン、ポリ塩化ビニルなどの樹脂製フィルムであるが、紙でも構わない。
【００２５】
下側小袋１１には、その一対の側面部１１ａの上部に、取っ手１１ｂが接合されている。各小袋１２には、一方の側面部１２ａから上面部を通って他方の側面部１２ａにわたって取っ手１２ｂが設けられ、一対の側面部１２ａに取っ手１２ｂが接合されている。そして、この取っ手１２ｂの両端部１２ｃは、小袋１２の下面から多少はみ出すように形成されている。また、この両端部１２ｃには、その適所に切り離しを補助するためのミシン目（脆弱部）１２ｄが形成されている。そして、各小袋１１，１２は、図２（ａ）に示すように、各小袋１２の取っ手１２ｂの両端部１２ｃ、詳しくは前記したミシン目１２ｄから先端までの部分が、下方に位置する小袋１１，１２の取っ手１１ｂ，１２ｂに接合されることで、連結されるようになっている。
【００２６】
次に、包装体１の使用方法について説明する。
図２（ｂ）に示すように、購入後の状態（五個一組となった状態）から上方に位置する小袋１２をその取っ手１２ｂのミシン目１２ｄを境に切り離すと、その下側の小袋１２の取っ手１２ｂが露出することとなる。そのため、その後は下から三番目に位置する小袋１２の取っ手１２ｂを利用することで、残り四つのティッシュペーパ容器Ｔの持ち運びを行うことができる。
【００２７】
また、同様に、ティッシュペーパ容器Ｔが四個一組となった状態（図２（ｂ））から最も上に位置するティッシュペーパ容器Ｔを取り外した後や、三個一組となった状態から最も上に位置するティッシュペーパ容器Ｔを取り外した後も、下側に位置する小袋１２または下側小袋１１の取っ手１２ｂ，１１ｂを利用して片手で持ち運びを行うことができる。なお、下側小袋１１のみで二個のティッシュペーパ容器Ｔを包んでいる状態からティッシュペーパ容器Ｔを取り出すときは、ティッシュペーパ容器Ｔは一つずつに分離されるため重量も軽く、取っ手を設けなくても持ち運び難いといった問題はない。
【００２８】
以上によれば、第１の実施形態において、次のような効果を得ることができる。
各小袋１１，１２に取っ手１１ｂ，１２ｂが接合されることによって、例えば最も上の小袋１２を取り外した後は、その下側に位置する小袋１２に接合された取っ手１２ｂが出てくるので、持ち運びが便利になる。
【００２９】
各小袋１２に接合される取っ手１２にミシン目１２ｄが形成されているので、上方の小袋１２の取っ手１２ｂを下側の小袋１２から小さな力で取り外すことが可能となる。
【００３０】
〔第２の実施形態〕
以下に、本発明に係る包装体の第２の実施形態について説明する。
図３に示すように、包装体２は、筒状に形成される第一小袋２１、第二小袋２２、第三小袋２３および第四小袋２４で主に構成されている。
【００３１】
第一小袋２１は、上下に積まれる五個のティッシュペーパ容器Ｔのうち最下方に位置する二個のティッシュペーパ容器Ｔをまとめて包装するためのものであり、その開口部２１ａが横向きになる状態で各ティッシュペーパ容器Ｔを包み込んでいる。すなわち、上下の面、および一対の側面２１ｂの四面を包んでいる。また、この第一小袋２１の外側には、第一小袋２１と同様に二個のティッシュペーパ容器Ｔの上下および側面２１ｂの四面を包むように帯状の取っ手２１ｃが設けられている。
【００３２】
第二小袋２２は、五個のティッシュペーパ容器Ｔのうち下から三段目に位置するティッシュペーパ容器Ｔと、第一小袋２１とをまとめて包装するためのものであり、その開口部２２ａが横向きになる状態でティッシュペーパ容器Ｔおよび第一小袋２１を包み込んでいる。すなわち、上下の面、および一対の側面２２ｂの四面を包んでいる。また、この第二小袋２２の外側には、第二小袋２２と同様に、第一小袋２１包んだティッシュペーパ容器Ｔおよびその上のティッシュペーパ容器Ｔの上下ならびに側面２２ｂの四面を包むように帯状の取っ手２２ｃが設けられている。
【００３３】
第三小袋２３は、五個のティッシュペーパ容器Ｔのうち下から四段目に位置するティッシュペーパ容器Ｔと、第二小袋２２とをまとめて包装するためのものであり、その開口部２３ａが横向きになる状態でティッシュペーパ容器Ｔおよび第二小袋２２を包み込んでいる。すなわち、上下の面、および一対の側面２３ｂの四面を包んでいる。また、この第三小袋２３の外側には、第三小袋２３と同様に、第二小袋２２で包んだティッシュペーパ容器Ｔおよびその上のティッシュペーパ容器Ｔの上下ならびに側面２３ｂの四面を包むように帯状の取っ手２３ｃが設けられている。
【００３４】
第四小袋２４は、五個のティッシュペーパ容器Ｔのうち上方に位置するティッシュペーパ容器Ｔと、第三小袋２３とをまとめて包装するためのものであり、その開口部２４ａが横向きになる状態でティッシュペーパ容器Ｔおよび第三小袋２３を包み込んでいる。すなわち、上下の面、および一対の側面２４ｂの四面を包んでいる。また、この第四小袋２４の外側には、第四小袋２４と同様に、第三小袋２３で包んだティッシュペーパ容器Ｔおよびその上のティッシュペーパ容器Ｔの上下ならびに側面２４ｂの四面を包むように帯状の取っ手２４ｃが設けられている。
【００３５】
さらに、この第四小袋２４の各小袋２１〜２４が重なり合う部分に、各小袋２２〜２４を切断するための紙製の刃部Ｃ（以下、「紙ノコＣ」と呼ぶ。）が設けられている。具体的には、両側の側面２４ｂの取っ手２４ｃより外側で、第一小袋２１の上面より若干下の位置に紙ノコＣが配置されている。なお、この紙ノコＣが配置される場所において、各小袋２１〜２４も接合されている。
【００３６】
次に、包装体２の使用方法について説明する。
図４（ａ）に示すような購入後の状態から最上方に位置するティッシュペーパ容器Ｔを取り出す際は、図４（ｂ）に示すように、最上方に位置するティッシュペーパ容器Ｔを手で押し出すことで、簡単にティッシュペーパ容器Ｔが取り出されることとなる。そして、このようにティッシュペーパ容器Ｔを取り出した後は、図４（ｃ）に示すように、第四小袋２４が緩むため、この緩んだ第四小袋２４を紙ノコＣにて切り取ることで、第三小袋２３の取っ手２３ｃが露出することとなる。
【００３７】
また、同様に、ティッシュペーパ容器Ｔが四個一組となった状態から上方に位置するティッシュペーパ容器Ｔを取り外した後や、三個一組となった状態から上方に位置するティッシュペーパ容器Ｔを取り外した後も、第三小袋２３または第二小袋２２を紙ノコＣで切り取ることによって、第二小袋２２または第一小袋２１の取っ手２２ｃ，２１ｃが露出することとなる。なお、第一小袋２１のみで二個のティッシュペーパ容器Ｔを包んでいる状態からティッシュペーパ容器Ｔを取り出すときは、ティッシュペーパ容器Ｔは一つずつに分離されるため、取っ手を設けなくても持ち運び難いといった問題はない。
【００３８】
以上によれば、第２の実施形態において、次のような効果を得ることができる。
各小袋２１〜２４が筒状に形成されているので、筒状となった各小袋２１〜２４の開口部２１ａ〜２４ａから手を入れてティッシュペーパ容器Ｔを押し出すだけで、簡単にティッシュペーパ容器Ｔを取り出すことができる。
刃部として紙ノコＣを使用しているので、仮に紙ノコＣに手が当たったとしても、怪我をすることはない。
なお、紙ノコＣの位置は、この例に限られず、各小袋２１〜２４が重なり合う部分であればいずれでもよく、例えば、包装体２の下面でもよい。
【００３９】
〔第３の実施形態〕
以下に、本発明に係る包装体の第３の実施形態について説明する。なお、本実施形態は、前記第２の実施形態の包装体２を一部変更したものなので、第２の実施形態と同様の構造については、同一符号を付し、その説明を省略する。
【００４０】
図５（ａ）に示すように、包装体３は、第２の実施形態と同様の第一小袋２１と、下から三段目のティッシュペーパ容器Ｔのみを包装するための第二小袋３２と、下から四段目のティッシュペーパ容器Ｔのみを包装するための第三小袋３３と、最上方のティッシュペーパ容器Ｔのみを包装するための第四小袋３４とを備えている。なお、前記小袋３２〜３４は、筒状に形成され、その開口部３２ａ〜３４ａが横向きになるように各ティッシュペーパ容器Ｔを包み込んでいる。
【００４１】
第二小袋３２には、一方の側面３２ｂから上面を通り、他方の側面３２ｂにわたって取っ手３２ｃが設けられ、取っ手３２ｃは一対の側面３２ｂに接合されている。また、図５（ｂ）に示すように、取っ手３２ｃの両端部３２ｄは、第一小袋２１の下面に接合されている。また、第三小袋３３には、一方の側面３３ｂから上面を通り、他方の側面３３ｂにわたって取っ手３３ｃが設けられ、取っ手３３ｃは一対の側面３３ｂに接合されている。
この取っ手３３ｃの両端部３３ｄは、第二小袋３２における取っ手３２ｃの両端部３２ｄの下面に接合されている。
【００４２】
さらに、第四小袋３４には、一方の側面３４ｂから上面を通り、他方の側面３４ｂにわたって取っ手３４ｃが設けられ、取っ手３４ｃは一対の側面３４ｂに接合されている。この取っ手３４の両端部３４ｄは、第三小袋３３における取っ手３３ｃの両端部３３ｄの下面に接合されている。そして、第四小袋３４における取っ手３４ｃの両端部３４ｄの下面には、前記した紙ノコＣが接合されている。
【００４３】
なお、包装体３の使用方法は、前記した第２の実施形態に係る包装体２とほぼ同じ方法であるため詳細には説明しないが、簡単に説明すると以下のようになる。まず、最も上に位置するティッシュペーパ容器Ｔを手で押し出して取り外すと、取っ手３４ｃが緩むため、この緩んだ取っ手３４ｃを紙ノコＣにて切り取ることで第三小袋３３に設けた取っ手３３ｃを利用することが可能となる。そして、より下段のティッシュペーパ容器Ｔを使用する場合も同様にする。
【００４４】
以上によれば、第３の実施形態において、次のような効果を得ることができる。
幅が狭い取っ手３２ｃ〜３４ｃを切り取る構造なので、第２の実施形態のような幅が広い小袋自体を切り取る構造に比べ、小袋の切り離しを簡単に行うことができる。
【００４５】
なお、本発明は、前記実施形態に限定されず、様々な形態で実施される。
本実施形態では、紙ノコＣを包装体２，３の下面に設けたが、本発明はこれに限定されず、最下方に位置する小袋２１であればどの位置に設けてもよい。
また、筒状の小袋にティッシュペーパ容器を包む場合、実施形態においては、広い横の面を小袋の開口に向けるようにしたが、狭い側面を開口に向けるようにしてもよい。
また、実施形態においては、小袋とは別の取っ手を小袋に接合するようにして取っ手を設けたが、小袋の上面に２つの切り込みを入れて、その切り込みの間の部分（つまり、小袋自身の一部）を帯状の取っ手として使えるようにしてもよい。このようにすれば、包装も簡略化することができ、製造コストも抑えられる。
【図面の簡単な説明】
【００４６】
【図１】第１の実施形態に係る包装体を示す分解斜視図である。
【図２】図１の各小袋が連結された状態を示す正面図（ａ）と、最上方にある小袋を取り外した状態を示す正面図（ｂ）である。
【図３】第２の実施形態に係る包装体を示す分解斜視図である。
【図４】図３の各小袋が連結された状態を示す正面図（ａ）と、最上方にあるティッシュペーパ容器を取り出す動作を示す側面図（ｂ）と、緩んだ小袋を紙ノコで切り取る動作を示す正面図（ｃ）である。
【図５】第３の実施形態に係る包装体を示す斜視図（ａ）と、包装体の下側の構造を示す要部拡大図である。
【符号の説明】
【００４７】
１      包装体
Ｔ      ティッシュペーパ容器
１１    下側小袋
１１ａ  側面部
１１ｂ  取っ手
１２    小袋
１２ａ  側面部
１２ｂ  取っ手
１２ｃ  両端部
１２ｄ  ミシン目（脆弱部）
【図１】
2005247377.tif 000003
【図２】
2005247377.tif 000004
【図３】
2005247377.tif 000005
【図４】
2005247377.tif 000006
【図５】
2005247377.tif 000007